(57)【特許請求の範囲】
【請求項１】
既設のホスト側交換装置と下位のアクセスネットワーク装置とが第１および第２のリンクを介して接続され、前記第１および第２のリンクはネットワーク内の情報通信に用いられる情報通信用チャネルと、前記既設のホスト側交換装置と前記下位のアクセスネットワーク装置の間で前記第１および第２のリンクのリンク管理に用いられるリンク管理用チャネルとを有し、通常時には、前記第１および第２のリンクのリンク管理用チャネルの一方がＡＣＴとして機能すると共に他方がＳＢＹとして機能するＶインターフェースを用いたネットワークシステムにおいて、
前記既設のホスト側交換装置を新たなホスト側交換装置に交換する際、前記第１のリンクを予閉塞にし、
次に、前記第１のリンクによる前記情報通信用チャネルに基づくサービスが終了したとき、前記第１のリンクを前記既設のホスト側交換装置から前記新たなホスト側交換装置に接続替えをし、一方、前記既設のホスト側交換装置と前記アクセスネットワーク装置との間の前記情報通信および前記リンク管理を前記第２のリンクを介して行い、
次に、前記新たなホスト側交換装置に接続された前記第１のリンクを前記アクセスネットワーク装置によってＡＣＴにして前記第１のリンクを用いて前記新たなホスト側交換装置と前記アクセスネットワーク装置との間の前記情報通信および前記リンク管理を開始し、
次に、前記第２のリンクを予閉塞にし、
次に、前記第２のリンクを介した前記既設のホスト側交換装置による前記情報通信用チャネルに基づくサービスが終了したとき、 前記第２のリンクを前記既設のホスト側交換装置から前記新たなホスト側交換装置に接続替えし、
次に、前記第１および第２のリンクの前記リンク管理用チャネルの一方をＡＣＴ、他方をＳＢＹにして前記新たなホスト側交換装置と前記アクセスネットワーク装置との間の前記情報通信を前記第１および第２のリンクを介して行うことを特徴とするＶインターフェースを用いたネットワークシステムのホスト側交換装置の切替方法。
【請求項２】
既設のホスト側交換装置と下位のアクセスネットワーク装置とが第１，第２および第３のリンクを介して接続され、前記第１および第２のリンクはネットワーク内の情報通信に用いられる情報通信用チャネルと、前記既設のホスト側交換装置と前記下位のアクセスネットワーク装置の間で前記第１および第２のリンクのリンク管理に用いられるリンク管理用チャネルとを有すると共に、前記第３のリンクは情報通信用チャネルのみの複数のリンクからなり、通常時には、前記第１および第２のリンクのリンク管理用チャネルの一方がＡＣＴとして機能すると共に他方がＳＢＹとして機能するＶインターフェースを用いたネットワークシステムにおいて、
前記既設のホスト側交換装置を新たなホスト側交換装置に交換する際、前記第１のリンクを予閉塞にし、
次に、前記第１のリンクによる前記情報通信チャネルに基づくサービスが終了したとき、前記第１のリンクを前記既設のホスト側交換装置から前記新たなホスト側交換装置に接続替えをし、一方、前記既設のホスト側交換装置と前記アクセスネットワーク装置との間の前記情報通信および前記リンク管理を前記第２のリンクを介して行い、
次に、前記新たなホスト側交換装置に接続された前記第１のリンクを前記アクセスネットワーク装置によってＡＣＴにして、前記第１のリンクを用いて前記新たなホスト側交換装置と前記アクセスネットワーク装置との間の前記情報通信および前記リンク管理を開始し、
次に、前記第２および第３のリンクを予閉塞にし、
次に、前記第２および第３のリンクによる前記情報通信用チャネルに基づくサービスが終了したとき、前記第２および第３のリンクを前記既設のホスト側交換装置から前記新たなホスト側交換装置に接続替えし、
次に、前記第１および第２のリンクの前記リンク管理用チャネルの一方をＡＣＴ、他方をＳＢＹにして前記新たなホスト側交換装置との間の前記情報通信を前記第１，第２および第３のリンクを介して行わせることを特徴とするＶインターフェースを用いたネットワークシステムのホスト側交換装置の切替方法。
【発明の詳細な説明】
【０００１】
【発明の属する技術分野】
本発明は、Ｖインターフェースを用いたネットワークシステムのホスト側交換装置の切替方法に関し、特に、Ｖシリーズインターフェースに接続されるホスト側装置の交換をサービスの中断を招くことなく行えるＶインターフェースを用いたネットワークシステムのホスト側交換装置の切替方法に関する。
【０００２】
【従来の技術】
例えば、局内交換システムにおいては、その構成例として、アナログインターフェース（Ｖインターフェース）の１つであるＶ５インターフェースを介して、アクセスネットワーク装置（ＡＮ）とホスト側交換装置（ＬＥ）を接続したものがある。この場合、アクセスネットワーク装置の呼処理は、ホスト側の交換装置によって行われている。
【０００３】
【発明が解決しようとする課題】
しかし、従来のＶインターフェースを用いたネットワークシステムによると、バージョンアップ等によってホスト側装置を交換する際には、アクセスネットワーク装置におけるサービスも停止せざるをえない。
したがって、本発明の目的は、アクセスネットワーク装置側のサービスを中断させることなく、Ｖインターフェースに接続されたホスト側交換装置の接続換えが行えるようにするＶインターフェースを用いたネットワークシステムのホスト側交換装置の切替方法を提供することにある。
【０００４】
【課題を解決するための手段】
本発明は、上記の目的を達成するため、第１の特徴として、既設のホスト側交換装置と下位のアクセスネットワーク装置とが第１および第２のリンクを介して接続され、前記第１および第２のリンクはネットワーク内の情報通信に用いられる情報通信用チャネルと、前記既設のホスト側交換装置と前記下位のアクセスネットワーク装置の間で前記第１および第２のリンクのリンク管理に用いられるリンク管理用チャネルとを有し、通常時には、前記第１および第２のリンクのリンク管理用チャネルの一方がＡＣＴとして機能すると共に他方がＳＢＹとして機能するＶインターフェースを用いたネットワークシステムにおいて、前記既設のホスト側交換装置を新たなホスト側交換装置に交換する際、前記第１のリンクを予閉塞にし、次に、前記第１のリンクによる前記情報通信用チャネルに基づくサービスが終了したとき前記第１のリンクを前記既設のホスト側交換装置から前記新たなホスト側交換装置に接続替えをし、一方、前記既設のホスト側交換装置と前記アクセスネットワーク装置との間の前記情報通信および前記リンク管理を前記第２のリンクを介して行い、次に、前記新たなホスト側交換装置に接続された前記第１のリンクを前記アクセスネットワーク装置によってＡＣＴにして前記第１のリンクを用いて前記新たなホスト側交換装置と前記アクセスネットワーク装置との間の前記情報通信および前記リンク管理を開始し、次に、前記第２のリンクを予閉塞にし、次に、前記第２のリンクを介した前記既設のホスト側交換装置による前記情報通信用チャネルに基づくサービスが終了したとき、 前記第２のリンクを前記既設のホスト側交換装置から前記新たなホスト側交換装置に接続替えし、次に、前記第１および第２のリンクの前記リンク管理用チャネルの一方をＡＣＴ、他方をＳＢＹにして前記新たなホスト側交換装置と前記アクセスネットワーク装置との間の前記情報通信を前記第１および第２のリンクを介して行うことを特徴とするＶインターフェースを用いたネットワークシステムのホスト側交換装置の切替方法を提供する。
【０００５】
また、本発明は、上記の目的を達成するため、第２の特徴として、既設のホスト側交換装置と下位のアクセスネットワーク装置とが第１，第２および第３のリンクを介して接続され、前記第１および第２のリンクはネットワーク内の情報通信に用いられる情報通信用チャネルと、前記既設のホスト側交換装置と前記下位のアクセスネットワーク装置の間で前記第１および第２のリンクのリンク管理に用いられるリンク管理用チャネルとを有すると共に、前記第３のリンクは情報通信用チャネルのみの複数のリンクからなり、通常時には、前記第１および第２のリンクのリンク管理用チャネルの一方がＡＣＴとして機能すると共に他方がＳＢＹとして機能するＶインターフェースを用いたネットワークシステムにおいて、前記既設のホスト側交換装置を新たなホスト側交換装置に交換する際、前記第１のリンクを予閉塞にし、次に、前記第１のリンクによる前記情報通信チャネルに基づくサービスが終了したとき、前記第１のリンクを前記既設のホスト側交換装置から前記新たなホスト側交換装置に接続替えをし、一方、前記既設のホスト側交換装置と前記アクセスネットワーク装置との間の前記情報通信および前記リンク管理を前記第２のリンクを介して行い、次に、前記新たなホスト側交換装置に接続された前記第１のリンクを前記アクセスネットワーク装置によってＡＣＴにして、前記第１のリンクを用いて前記新たなホスト側交換装置と前記アクセスネットワーク装置との間の前記情報通信および前記リンク管理を開始し、次に、前記第２および第３のリンクを予閉塞にし、次に、前記第２および第３のリンクによるサービスが終了したとき、前記第２および第３のリンクを前記既設のホスト側交換装置から前記新たなホスト側交換装置に接続替えし、次に、前記第１および第２のリンクの前記リンク管理用チャネルの一方をＡＣＴ、他方をＳＢＹにして前記新たなホスト側交換装置との間の前記情報通信を前記第１，第２および第３のリンクを介して行わせることを特徴とするＶインターフェースを用いたネットワークシステムのホスト側交換装置の切替方法を提供する。
【０００６】
【発明の実施の形態】
以下、本発明によるＶインターフェースを用いたネットワークシステムのホスト側交換装置の切替方法について図面をもとに説明する。図１は本発明によるホスト側交換装置の切替方法を達成するネットワークシステムの接続過程を示す。図１において、アクセスネットワーク装置１０１（ＡＮ）には、ＬＩＮＫ０とＬＩＮＫ１の２系路から成るリンク１０２が接続され、途中には中継盤１０３が配設されている。リンク１０２のＬＩＮＫ０，ＬＩＮＫ１の他端には、ホスト側交換装置１０４（ＬＥ１）が接続されている。１０５は、ホスト側交換装置１０４（ＬＥ１）と交換される予定の他のホスト側交換装置（ＬＥ２）である。アクセスネットワーク装置１０１（ＡＮ）はホスト側交換装置１０４の下位に位置付けられ、リンク１０２を介して接続されたホスト側交換装置１０４（ＬＥ１）に所定のサービスを行っている。
【０００７】
図１の（ａ）に示すように、バージョンアップ等によってアクセスネットワーク装置１０１（ＡＮ）の収容替え（ホスト側交換装置の入れ替え）が生じた場合、リンク１０２のＬＩＮＫ０とホスト側交換装置１０４（ＬＥ１）の接続を断ち、図１の（ｂ）に示すように、新しいホスト側交換装置１０５（ＬＥ２）を中継盤１０３より分岐したＬＩＮＫ０に接続する。このために、アクセスネットワーク装置１０１ではＶ５インタフェース機能を２つに分け、ホスト側交換装置１０４，１０５の両方との通信チャネルを開設する。ホスト側交換装置１０４と１０５を接続した後に発生した新たな呼処理に対しては、ホスト側交換装置１０５（ＬＥ２）で実行する。その後、ホスト側交換装置１０４（ＬＥ１）で行っていたサービスが全て終了した時点で、図１の（ｃ）に示すように、リンク１０２のＬＩＮＫ１をホスト側交換装置１０４（ＬＥ１）からホスト側交換装置１０５（ＬＥ２）に接続替えし、アクセスネットワーク装置１０１（ＡＮ）の収容替えを完了する。
【０００８】
以上のように、ホスト側のシステムの都合によって発生するホスト側交換装置１０４と１０５の入れ換え（交換）時に、アクセスネットワーク装置１０１（ＡＮ）が内蔵するＶ５インタフェース機能を２つに分割し、それぞれが接続先のホスト側交換装置と通信を行うため、アクセスネットワーク装置１０１側のサービスを中断させずに済むようになる。
【０００９】
次に、回線数を増やした具体例について説明する。
図２は、図１の（ａ）の接続状態に対応した詳細な接続構成を示す。ここでは、「ＥＴＳＩ（ European Telecommunication Standard Institute：欧州電気通信標準化機構）３００  ３２４−１」と「ＥＴＳＩ３００  ３４７−１」に規定されているＶ５インターフェースを採用している。
図２において、アクセスネットワーク装置１０１（ＡＮ）は遠隔加入者を収容することができる。リンク１０２は、アクセスネットワーク装置１０１（ＡＮ）とホスト側交換装置１０４（ＬＥ１）を接続し、最大１６本の伝送線を収容する２，０４８Ｍｂｐｓの回線である。ＬＩＮＫ０、ＬＩＮＫ１（いずれも通信チャネルを含む）にはホスト側交換装置１０４（ＬＥ１）とアクセスネットワーク装置１０１のための通信用チャネルを搭載している。中継盤１０３は、ホスト側交換装置１０４（ＬＥ１）内でリンク１０２を局内と局外に分割するために用いられる。ホスト側交換装置１０４は運用中の局内交換システムであり、ホスト側交換装置１０５（ＬＥ２）はこれから運用を開始する新しい局用交換システムである。
【００１０】
図３は図１の（ｂ）の接続状態に対応した詳細な接続構成を示す。図中、図１及び図２に示した同一であるものには同一引用数字を付している。１０６は制御機能部であり、ホスト側交換装置の切替途中でアクセスネットワーク装置１０１（ＡＮ）がホスト側交換装置１０４（ＬＥ１），１０５（ＬＥ２）の両方とインタフェースを持っている状態の時、ホスト側交換装置１０４（ＬＥ１）とのＶ５インタフェースを制御する。１０７も制御機能部であり、上記の状態の時にホスト側交換装置１０５（ＬＥ２）とのＶ５インタフェースを制御する。
【００１１】
図４は図１の（ｃ）の接続状態に対応した詳細な接続構成を示す。図３におけるリンク１０２のＬＩＮＫ０〜１５の１６本の全てがホスト側交換装置１０５（ＬＥ２）に接続された状態を示している。
【００１２】
〔表１〕は、図２の接続状態におけるリンク管理内容及び通信チャネルの動作内容を示す。また、〔表２〕は、図３の接続内容におけるリンク管理内容及び通信チャネルの動作内容を示し、〔表３〕は、図４の接続内容におけるリンク管理内容及び通信チャネルの動作内容を示す。〔表１〕に示した物理番号は、アクセスネットワーク装置１０１（ＡＮ）に接続されたリンク１０２を構成する１６本のＬＩＮＫ０〜１５（各々は、最大２，０４８Ｍｂｐｓの伝送容量を持つ）を通し番号（０〜１５）で表しており、論理番号は、アクセスネットワーク装置１０１（ＡＮ）、制御機能部１０６，１０７、ホスト側交換装置１０４（ＬＥ１），１０５（ＬＥ２）が、それぞれリンク１０２の管理をする時に使用する番号である。
【００１３】
【表１】
0003543639.tif 000002
【００１４】
【表２】
0003543639.tif 000003
【００１５】
【表３】
0003543639.tif 000004
【００１６】
図５は本発明によるシステムの接続替えの処理を示す。また、図６は図５に続く処理を示す。
【００１７】
次に、図２〜図６、及び〔表１〕〜〔表３〕を参照して本発明のネットワークシステムの動作について説明する。図２において、Ｖ５インタフェースでサービスを行っているアクセスネットワーク装置１０１（ＡＮ）を、現在稼働中のホスト側交換装置１０４（ＬＥ１）から新しい交換システムであるホスト側交換装置１０５（ＬＥ２）に接続替えが発生した場合、ホスト側交換装置１０４（ＬＥ１）からリンク１０２の物理番号０に収容されている通話チャネルを予閉塞にする（ステップ５０１）。この時、ＬＩＮＫの物理番号と論理番号、ＬＩＮＫ０〜１４を管理しているホスト側交換装置１０４（ＬＥ１）、アクセスネットワーク装置１０１（ＡＮ）、通信チャネルのＡＣＴ／ＳＢＹ情報は、〔表１〕に示す内容になる。
【００１８】
ホスト側交換装置１０４（ＬＥ１）は、物理番号０のＬＩＮＫ０に収容される通話チャネルが全て開放されたことを確認すると（ステップ５０２）、通信チャネルのプロテクションを起動させ、ＡＣＴ通信チャネルを物理番号０のＬＩＮＫ０から、物理番号１のＬＩＮＫ１に変更する（ステップ５０３）。この通信チャネルの切替えが成功したことを判定すると（ステップ５０４）、Ｖ５インターフェースのリンク制御プロトコルを用いて物理番号０のＬＩＮＫ０をブロックし、このＬＩＮＫ０に収容されている通信チャネルの通信を終了させる（ステップ５０６）。以上が図２に相当する。
【００１９】
次に、ホスト側交換装置１０４（ＬＥ１）からホスト側交換装置１０５（ＬＥ２）に物理番号０のＬＩＮＫ０を接続替えし（ステップ５０７）、図３に示す接続状態を形成する。ついで、Ｖ５インタフェース制御機能を制御機能部１０６と制御機能部１０７に分割するように、ホスト側交換装置１０４からアクセスネットワーク装置１０１（ＡＮ）に要求を出す（ステップ５０８）。アクセスネットワーク装置１０１による機能分割が完了すると、再度、物理チャネル０のＬＩＮＫ０に対して通信チャネルの確立を行う（ステップ５０９）。この通信チャネルは、アクセスネットワーク装置１０１（ＡＮ）と、新しく接続された交換システムであるホスト側交換装置１０５（ＬＥ２）との間での通信に使用する。
【００２０】
ホスト側交換装置１０５（ＬＥ２）とアクセスネットワーク装置１０１（ＡＮ）との間の通信が確立すると、ＬＩＮＫ制御プロトコルを用いて、物理チャネル０のＬＩＮＫ０のブロック解除を行い（ステップ５１０）、ホスト側交換装置１０５側のサービスを開始させる。この時、ホスト側交換装置１０４及び制御機能部１０６側から見ると、物理チャネル０は自分の管理下から離れたことになり、物理番号１〜１５を論理番号０〜１４に振り直し、物理番号１〜１５の制御を実行する（図６のステップ６０１）。ついで、ホスト側交換装置１０４（ＬＥ１）に接続されているＬＩＮＫ０〜１４の通話チャネルを予閉塞にする（ステップ６０２）。
【００２１】
アクセスネットワーク装置１０１（ＡＮ）が上位装置である２つのホスト側交換装置１０４（ＬＥ１），１０５（ＬＥ２）にリンク１０２を介して接続され、ホスト側交換装置１０５（ＬＥ２）によるサービスが開始された状態においては、ホスト側交換装置１０４（ＬＥ１）では、すでに通話中になっている「呼」のみを維持し、新しく発生した「呼」に対しては、ホスト側交換装置１０５（ＬＥ２）とアクセスネットワーク装置１０１（ＡＮ）により処理を実行する。ホスト側交換装置１０４（ＬＥ１）で管理していた物理番号１〜１５の通話チャネルでのサービスが全て終了すると（ステップ６０３）、上記リンクをＬＩＮＫ制御プロトコルにてブロックし（ステップ６０４）、物理チャネル１に収容されている通信チャネルの通信を終了させ、図４に示すように、ＬＩＮＫ０〜１４を全てホスト側交換装置１０４（ＬＥ１）からホスト側交換装置１０５（ＬＥ２）に接続替えする（ステップ６０５）。
【００２２】
ホスト側交換装置１０５（ＬＥ２）では、リンク１０２が物理番号０のみの状態から物理番号０〜１５に増えるため、論理番号の読み替えを行い（ステップ６０６）、物理番号１〜１５のブロック解除を行う（ステップ６０７）、最後に（ホスト側交換装置１０５（ＬＥ２）からアクセスネットワーク装置１０１（ＡＮ）に対して、Ｖ５インタフェース処理の分割を解除する指示を出力する（ステップ６０７）。この時、物理チャネル１にはＳＢＹ通信チャネルを確立させる（ステップ６０８）。
【００２３】
以上のようにして、アクセスネットワーク装置１０１（ＡＮ）をホスト側交換装置１０４（ＬＥ１）からホスト側交換装置１０５（ＬＥ２）へ収容替えが行われる。
【００２４】
【発明の効果】
以上より明らかな如く、本発明のＶインターフェースを用いたネットワークシステムのホスト側交換装置の切替方法によれば、バージョンアップ等によってホスト側交換装置に交換が発生した場合、一時的にアクセスネットワーク装置内のＶインタフェース機能を２つに分割し、それぞれ別々の２つのホスト側交換装置（ＬＥ）との間で通信を行ってアクセスネットワーク装置との通信の途絶を防止したので、アクセスネットワーク装置（ＡＮ）のサービスを中断させることなく取り替えを行うことができる。
【図面の簡単な説明】
【図１】本発明によるホスト側交換装置の切替方法が適用されたＶインターフェースを用いたネットワークシステムの接続過程を示す説明図である。
【図２】図１の（ａ）の接続状態に対応した詳細な接続構成を示す接続図である。
【図３】図１の（ｂ）の接続状態に対応した詳細な接続構成を示す接続図である。
【図４】図１の（ｃ）の接続状態に対応した詳細な接続構成を示す接続図である。
【図５】本発明によるＶインターフェースを用いたネットワークシステムのホスト側交換装置の切替方法の処理を示すフローチャートである。
【図６】図５に続く処理を示すフローチャートである。
【図１】
0003543639.tif 000005
【図２】
0003543639.tif 000006
【図３】
0003543639.tif 000007
【図４】
0003543639.tif 000008
【図５】
0003543639.tif 000009
【図６】
0003543639.tif 000010